(57)【特許請求の範囲】
【請求項１】
扱胴を軸架した扱室と、処理胴を軸架した処理胴室とを、扱室後方の送塵口を介して互いに連通せしめて並設し、扱室下方に設けられた選別室に揺動選別体を架設し、扱室後方で揺動選別体の上方位置に該揺動選別体の幅方向に亙り、夾雑物を機外に排出する横断流ファンを設けた処理胴付き脱穀機であって、前記揺動選別体の後部を横断流ファンの直下方部位まで延設すると共に、前記処理胴室を横断流ファン一側の側方位置まで延設し、処理胴室の後部一側に揺動選別体上に連通する排出口を形成し、前記横断流ファンのケーシングの排出口側の側板を、該排出口に間隔を置いて対向配置して障壁となし、排出口から送出される排出物を障壁に当てて横断流ファンの下方部位の揺動選別体上に落下させるようにしたことを特徴とする処理胴付き脱穀機。
【発明の詳細な説明】
【０００１】
【産業上の利用分野】
本発明は、横断流ファンよりなる吸塵ファンの吸引力によって排塵と共に機外に放出される穀粒を極力回収し、脱穀歩留まりの向上を図った処理胴付き脱穀機に関するものである。
【０００２】
【従来の技術】
選別精度の向上を目的とした脱穀装置として特公平１−２３０９１号公報に公告されたものがある。
この脱穀装置は、扱胴側部後方において、扱胴の長手方向に沿う処理胴室を設け、扱室と処理胴室とは送塵口を介して互いに連通せしめると共に、これら扱室と処理胴室とを共に下方の選別室に臨ましめ、かつ処理胴室は機体後端まで延設して、その後端に排塵口を設け、選別室における唐箕の選別風路を扱室後方の吸引ファンに連通せしめ、側面視において処理胴室後端と吸引ファンとをラップせしめたものである。
即ち、この脱穀装置では、処理胴室を機体後端まで延設し、更にその終端部に吸引ファンを作用させることで、処理胴室のものをほとんど選別室に混入させず、排塵口から機外に排出させるようにしたものであるため、排塵混入等の選別性能の低下は改善されても排塵と共に機外に放出される穀粒のロスは防止できず、脱穀歩留まりの低下が免れないという欠点がある。
【０００３】
【本発明が解決しようとする課題】
本発明は、上記従来の脱穀装置の欠点を改善し、夾雑物混入等の選別性能の低下がなく、かつ穀粒の回収歩留りを向上できる処理胴付き脱穀機を提供することを目的としている。
【０００４】
【課題を解決するための手段】
上記目的を達成するため本発明は、扱胴を軸架した扱室と、処理胴を軸架した処理胴室とを、扱室後方の送塵口を介して互いに連通せしめて並設し、扱室下方に設けられた選別室に揺動選別体を架設し、扱室後方で揺動選別体の上方位置に該揺動選別体の幅方向に亙り、夾雑物を機外に排出する横断流ファンを設けた処理胴付き脱穀機であって、前記揺動選別体の後部を横断流ファンの直下方部位まで延設すると共に、前記処理胴室を横断流ファン一側の側方位置まで延設し、処理胴室の後部一側に揺動選別体上に連通する排出口を形成し、前記横断流ファンのケーシングの排出口側の側板を、該排出口に間隔を置いて対向配置して障壁となし、排出口から送出される排出物を障壁に当てて横断流ファンの下方部位の揺動選別体上に落下させるようにしたことを特徴としている。
【０００５】
【作用】
したがって、本発明によれば、処理胴室の排出口から送出される穀粒混りの排出物は、
強制的に障壁である横断流ファンのケーシングの排出口側の側板に当たって分散案内されつつ、該障壁により横断流ファンに吸引されない状態で、その下方部位の揺動選別体上に落下し、ここで混入している穀粒は再度選別されて回収されるから、穀粒の回収歩留りが著しく向上する。
【０００６】
【実施例】
以下本発明を図示の実施例に基いて詳細に説明する。
図１は本発明の脱穀機の全体側面図、図２は同脱穀機の平面図、図３は同脱穀機の背面図である。
図において、１は本発明の処理胴を付設した脱穀機で、該脱穀機１の下部に選別室２が設けられ、選別室２の上方に扱胴３を軸架した扱室４と、処理胴５を軸架した処理胴室６とが、扱室４後部の送塵口７を介して互いに連通されて並設され、扱室４の一側には扱口に沿い、穀稈を扱室４に供給する穀稈送込装置８が配設されている。
【０００７】
処理胴５は、コーン状に形成された始端部の表面に複数の三角状の掻込羽根５ａが設けられ、胴部には表面に処理歯５ｂが螺旋状に設けられ、後部には処理歯５ｂの丈より丈の高い複数の掻出羽根５ｃが設けられている。
処理胴室６は始端部が船首状に形成されると共に、底面が二番揚穀スクリュー９の傾斜に合わせて前上がりに傾斜され、この下部に二番揚穀スクリュー９の吐出口９ａを臨ませてあり、二番揚穀スクリュー９を処理胴室６の外側部に沿わせて配設する場合より機巾の縮小が図られている。
扱室４後方の排塵室１０には、処理胴５と外径をほぼ等しくした横断流ファンよりなる吸塵ファン１２が、揺動選別体１６の幅方向に亙り処理胴５と軸高さを同一にしてケーシング１３内に収められて設置されている。
そして、前記揺動選別体１６の後部は吸塵ファン１２の下方部位まで延設されている。
前記処理胴室６は吸塵ファン１２一側の側方位置まで延設され、側面視で吸塵ファン１２とラップしており、処理胴室６の後部には、前記吸塵ファン１２と若干の間隔を置いて扱室４後方の排塵室１０に開口する排出口１１が設けられている。
即ち、吸塵ファン１２のケーシング１３の、排出口１１側の側板１３ａは、吸塵ファン１２の排出口１１側の側部と排出口１１との間において、処理胴室６の後部排出口１１に間隔を置いて対向して固設され、該側板１３ａの下方を通じて前記排出口１１と揺動選別体上が連通している。前記ケーシング１３の側板１３ａは、排出口１１から放出された排出物が衝突する障壁１３ａを兼ねており、構造を簡素化できると共に排塵ファン１２と排出口１１とを近接でき、機体全体としてコンパクトに構成することができる。従って排出口１１に送られ、掻出羽根５ｃによって強制的に排出された穀粒の混入した排出物が、上記障壁１３ａに当って分散案内されつつ、障壁１３ａにより吸塵ファンに吸引されない状態で吸塵ファンの下方部位の揺動選別体上に落下するようになっている。
１４は扱胴３のほぼ下半周に沿って張設された受網、１５は処理胴５の扱胴３側ほぼ２／３周に沿って張設された受網である。
【０００８】
上記構成において、穀稈送込装置８によって穀稈を扱室４に供給すると、穀稈は扱口に沿って後方に移送されながら回転する扱胴３によって脱穀され、脱穀穀粒は扱室４の受網１４を漏下して下方の選別室２内の揺動選別体１６上に落下し、未漏下物は扱室４後部の送塵口７から処理胴室６に送出される。
揺動選別体１６上に落下した夾雑物混りの穀粒は、揺動選別体１６の揺動運動によって比重選別されながら順次後方に移送され、揺動選別体１６から漏下した精粒は一番螺旋１７に集められ、一番揚穀スクリュー１８を通じて機外に送出されて回収され、揺動選別体１６を漏下しなかった夾雑物は、唐箕１９の圧風で風選されて二番物は二番螺旋２０、二番揚穀スクリュー９によって処理胴室６の始端部に還元され、また分離された夾雑物は後部の排塵室１０に開口された排塵口２１から機外へ排出される。
【０００９】
一方、扱室４後部の送塵口７から処理胴室６に送出された未処理物は、二番揚穀スクリュー９によって処理胴室６に還元された前記二番物と共に、処理胴室６内で処理されながら後方に移送され、この間夾在する穀粒は受網１５を漏下して選別室２に落下し、この漏下物は前記同様揺動選別体１６の揺動運動と唐箕１９の圧風で選別されて一番物は機外に回収され、二番物は処理胴室６に還元され、分離された夾雑物は後部の排塵室１０に開口された排塵口２１から機外へ排出される。
【００１０】
また、処理胴室６の終端部に移送された穀稈等は、処理胴５後部の掻出羽根５ｃによる強制掻出力によって処理胴室６後部の排出口１１から排出される。ここで、処理胴室６後部の排出口１１の前面に若干の間隔を置いて吸塵ファン１２のケーシング１３の側板が障壁１３ａとして対向されているため、放出された排出物は、排出口１１と間隔を置いた障壁１３ａに衝突して分散されつつ、障壁１３ａにより吸塵ファンに吸引されない状態で吸塵ファンの下方部位の揺動選別体上に落下して選別され、混入している穀粒は二番物として回収され、夾雑物は吸塵ファン１２の風力で排塵室１０に開口された排塵口２１から機外に排出される。なお、前記掻出羽根５ｃは処理歯５ｂの丈より丈を高くしてあるため、掻出羽根５ｃ外周と障壁１３ａとの間隔が少なく、掻出羽根５ｃによる排出口１１からの排出物の排出が良好に行われる。
【００１１】
【発明の効果】
以上説明したように本発明は、扱胴を軸架した扱室と、処理胴を軸架した処理胴室とを、扱室後方の送塵口を介して互いに連通せしめて並設し、扱室下方に設けられた選別室に揺動選別体を架設し、扱室後方で揺動選別体の上方位置に該揺動選別体の幅方向に亙り、夾雑物を機外に排出する横断流ファンを設けた処理胴付き脱穀機であって、前記揺動選別体の後部を横断流ファンの直下方部位まで延設すると共に、前記処理胴室を横断流ファン一側の側方位置まで延設し、処理胴室の後部一側に揺動選別体上に連通する排出口を形成し、前記横断流ファンのケーシングの排出口側の側板を、該排出口に間隔を置いて対向配置して障壁となし、排出口から送出される排出物を障壁に当てて横断流ファンの下方部位の揺動選別体上に落下させるようにしたものであるから、横断流ファン一側の側方位置まで延設した処理胴室により、扱室後部の送塵口から処理胴室に送出された未処理物を十分に処理することができると共に、排出口から送出される排出物を障壁に当てて分散案内しつつ、該障壁により横断流ファンに吸引されない状態で、横断流ファンの下方部位まで延設した揺動選別体上に落下させ、ここで混入している穀粒を選別して回収することができ、このため穀粒の回収歩留りを向上させることができる。
そのうえ、排出口から送出される排出物が前記障壁により横断流ファンに吸引されないようにしたことと相俟って、排出物が横断流ファンの側方からファン内に入り込んで横断流ファン内で詰まらせたり、横断流ファンの吸引効率を低下させたりすることがなく排出物を確実に揺動選別体上に落下させて選別することができる。
【図面の簡単な説明】
【図１】本発明の処理胴付き脱穀機の全体側面図である。
【図２】同処理胴付き脱穀機の平面図である。
【図３】同処理胴付き脱穀機の背面図である。
【符号の説明】
１  処理胴付き脱穀機
２  選別室
３  扱胴
４  扱室
５  処理胴
５ｃ  掻出羽根
６  処理胴室
７  送塵口
１０  排塵室
１１  排出口
１２  吸塵ファン
１３  吸塵ファンのケーシング
１３ａ  障壁（ケーシング側板）
１６  揺動選別体
【図１】
0003828587.tif 000002
【図２】
0003828587.tif 000003
【図３】
0003828587.tif 000004